(57)【要約】【課題】薬きょうに損傷を与えることなく容易に弾頭を外すことができる弾頭外し装置を提供する。【解決手段】  胴体部７と、弾丸を固定する弾丸固定部３と、弾頭挟持手段の保持体５と、該弾丸固定部３の昇降手段９とを備える。該胴体部７は底部７ａと、天板部７ｂと、該底部７ａと該天板部７ｂとを連結する支柱部７ｃとからなり、該底部７ａと該天板部７ｂとの間には空間部１７を備える。底部７ａは該弾頭外し装置を土台２５に固定する固定手段２３と、透孔ｗを備える。天板部７ｂは透孔ｘを備える。該弾丸固定部３は、底部７ａの透孔ｗに昇降自在に挿通される。該保持体５は、上下方向に連通する保持孔２１を備え、天板部７ｂの透孔ｘに取り付ける。該前記昇降手段９により該弾丸固定部３は空間部１７を昇降し、該昇降手段９による前記弾丸固定部３の上昇時に弾丸１１の先端部が該保持孔２１より上方に突出する【選択図】図９
2020118381.tif 000002
【特許請求の範囲】
【請求項１】
胴体部と、弾丸を固定する弾丸固定部と、弾頭挟持手段の保持体と、該弾丸固定部の昇降手段とを備える弾頭外し装置であって、
該胴体部は底部と、天板部と、該底部と該天板部とを連結する支柱部とからなり、
該底部と該天板部との間には空間部を備え、
該胴体部の該底部は該弾頭外し装置を土台に固定する固定手段と、上下方向に連通する透孔を備え、
該胴体部の該天板部は上下方向に連通する透孔を備え、
該弾丸固定部は、該胴体部の底部の透孔に昇降自在に挿通され、
該昇降手段により該弾丸固定部が該胴体部の空間部を昇降し、  
該保持体は、上下方向に該空間部に連通する保持孔を備え、
該弾丸固定部の上昇時に該弾丸固定部に固定した弾丸の先端部が該保持孔より上方に突出する
ことを特徴とする弾頭外し装置。
【請求項２】
前記保持体は板状部の下方に突設部を備える側面視略Ｔ字型とし、
該突設部は雄ねじを刻設し
前記天板部の透孔は雌ねじを刻設し、
該突設部を該透孔に螺合させることにより、該保持体を該透孔に着脱自在にすることを特徴とする請求項１記載の弾頭外し装置。
【発明の詳細な説明】
【技術分野】
【０００１】
本発明は薬きょうに損傷を与えることなく容易に薬きょうから弾頭を外すことができる弾頭外し装置に関する。尚、本明細書等において弾丸とは、薬きょうに弾頭が装着されたものをいう。
【背景技術】
【０００２】
ライフル等の銃の弾丸は、雷管、薬きょう、発射薬などの不具合による不発弾が一定の割合で生じる。このような不発弾は、薬きょうから弾頭を外して火薬等を処理する必要がある。そして、弾頭を外した薬きょうは再利用することが望まれる。
【０００３】
現在、狩猟等に使用する銃弾は、扱いやすいとの理由から鉛製の弾頭を用いるものが多いが、野生動物の鉛中毒の被害が問題となっている。例えば、オオワシやオジロワシの鉛中毒は、ライフルの鉛弾頭の破片をエゾシカの死肉と共に食べてしまうことで起こる。そのため北海道では、銅製の弾頭しか使用できないことになっているなど、環境に害を及ぼさない射撃及び狩猟を行うために、銅製の弾頭を用いることが望まれている。
【０００４】
従来、弾頭を薬きょうから外すためには、図１〜図３に示すようなハンマー型の弾頭外し器具５１が用いられている。該ハンマー型の弾頭外し器具５１は、蓋部５７に弾丸１１を固定しハンマー部分５３の内部に弾丸１１を取り付けた後（図１）、ハンマー部分５３を上方より振り下ろして床や机等の受け台５５に打ち付ける動作を繰り返すことにより（図２）、薬きょう１５を弾頭１３から外すものである（図３）。ハンマー部分５３を床や机等の受け台５５打ち付ける際の衝撃により薬きょう１５と弾頭１３との接合部を緩め、ハンマー部分５３を上方より振り下ろすときにより生じる遠心力により薬きょう１５から弾頭１３を外すものである。
【０００５】
しかしながら、上記のようなハンマー型の弾頭外し器具を用いて薬きょうから弾頭を外すには、ハンマー部分を上方より床や机等の受け台に打ち付ける動作を繰り返さなければならず、労力や時間がかかる。そして、薬きょうと弾頭との接合部が衝撃を受けることにより薬きょうの弾頭挿入部に変形やクラック等の損傷が生じることがあり、薬きょうの再利用が困難になるという問題点がある。
【０００６】
更に、銅製の弾頭は鉛製の弾頭より硬いため、上記ハンマー型の弾頭外し器具を用いて銅製の弾頭を外す場合は、ハンマー部分を上方より振り下ろして床や机等の受け台に打ち付ける動作を繰り返す回数は増えるため、更に労力や時間がかかる。そして弾頭が外れた後の薬きょうは、その弾頭挿入部に変形やクラック等の損傷が多く発生し、再利用がより困難になるという問題点がある。
【発明の概要】
【発明が解決しようとする課題】
【０００７】
本発明は、薬きょうに損傷を与えることなく容易に薬きょうから弾頭を外すことができる弾頭外し装置を提供する。
【課題を解決するための手段】
【０００８】
上記課題を解決する本発明は次の内容のものである。
【０００９】
本発明の弾頭取り外し装置は、胴体部と、弾丸を固定する弾丸固定部と、弾頭挟持手段の保持体と、該弾丸固定部の昇降手段とを備え、
該胴体部は底部と、天板部と、該底部と該天板部とを連結する支柱部とからなり、
該底部と該天板部との間には空間部を備え、
該胴体部の該底部は該弾頭外し装置を土台に固定する固定手段と、上下方向に連通する透孔を備え、
該胴体部の該天板部は上下方向に連通する透孔を備え、
該弾丸固定部は、該胴体部の底部の透孔に昇降自在に挿通され、
該昇降手段により該弾丸固定部が該胴体部の空間部を昇降し、  
該保持体は、上下方向に該空間部に連通する保持孔を備え、該胴体部の天板部の透孔に取り付け、
該弾丸固定部の上昇時に該弾丸固定部に固定した弾丸の先端部が該保持孔より上方に突出する。
【００１０】
前記保持体は板状部の下方に突設部を備える側面視略Ｔ字型とし、
該突設部は雄ねじを刻設し
前記天板部の透孔は雌ねじを刻設し、
該突設部を該透孔に螺合させることにより、該保持体を該透孔に着脱自在にする。
【発明の効果】
【００１１】
本発明の弾頭外し装置は、弾頭が鉛製であっても銅製であってもその種類にかかわらず、弾頭を外した後の薬きょうに変形やクラック等の損傷を与えることなく、容易に薬きょうから弾頭を外すことができる。
【図面の簡単な説明】
【００１２】
【図１】従来のハンマー型の弾頭外し器具に弾丸をセットした状態を示す図である。
【図２】従来のハンマー型の弾頭外し器具のハンマー部分を上方より振り下ろして床や机等の受け台に打ち付ける状態を示す図である。
【図３】従来のハンマー型の弾頭外し器具を用いて薬きょうから弾頭が外れた状態を示す図である。
【図４】本発明の弾頭外し装置のレバーを上げた状態の一例を示す側面図である。
【図５】本発明の弾頭外し装置のレバーを上げた状態の一例を示す正面図である。
【図６】本発明の弾頭外し装置のレバーを下げた状態の一例を示す側面図である。
【図７】本発明の弾頭外し装置のレバーを下げた状態の一例を示す正面図である。
【図８】本発明の弾頭外し装置に弾丸をセットした状態を示す断面図である。
【図９】本発明の弾頭外し装置にセットした弾丸の弾頭を弾頭固定手段により挟持した状態を示す断面図である。
【図１０】本発明の弾頭外し装置を用いて薬きょうから弾頭が外れた状態を示す断面図である。
【図１１】本発明の弾頭外し装置における薬きょう固定手段の一例を示す拡大側面図である。
【図１２】本発明の弾頭外し装置における薬きょう固定手段の一例を示す拡大正面図である。
【図１３】本発明の弾頭外し装置における薬きょう固定手段の一例を示す拡大平面図である。
【図１４】本発明の弾頭外し装置における薬きょう固定手段の一例を示すＩ―Ｉ拡大断面図である。
【図１５】本発明の弾頭外し装置における保持体５の一例を示す斜視図である。
【発明を実施するための形態】
【００１３】
以下、本発明の実施の形態の例について図を参照しながら説明する。尚、本発明は、以下の形態の例に限定されるものではない。
【００１４】
図４〜図７に示すように、本発明の弾頭外し装置１は、胴体部７と、弾丸を固定する弾丸固定部３と、弾頭挟持手段の保持体５と、該弾丸固定部３の昇降手段９とを備える。該胴体部７は底部７ａと、天板部７ｂと、該底部７ａと該天板部７ｂとを連結する支柱部７ｃとからなり、該底部７ａと該天板部７ｂとの間には空間部１７を備える。一例として、該支柱部７ｃを複数備えさせることにより、胴体部７の強度を上げることができる。
【００１５】
図４〜図１０に示すように、該胴体部７の底部７ａは該弾頭外し装置を土台２５に固定する固定手段２３と、上下方向に連通する透孔ｗを備える。該弾丸固定部３は、該胴体部７の底部７ａの透孔ｗに昇降自在に挿通され、前記昇降手段９により該弾丸固定部３は該胴体部７の空間部１７を昇降する。
【００１６】
図８に示すように、該弾丸固定部３には、弾丸１１の弾頭１３を該保持体５の方向に向けて固定する。該弾丸１３の固定方法に限定はなく、例えば弾丸固定部３に係止部３３を備える薬きょう固定手段１９を設ける。薬きょう１５を薬きょう固定手段１９にスライドさせて挿入し、薬きょうのくびれ部分を該係止部３３に係止させて固定するなどする（図１１〜図１４参照）。
【００１７】
該胴体部７の天板部７ｂは上下方向に連通する透孔ｘを備え、該透孔ｘに前記保持体５を取り付ける。該保持体５は、上下方向に連通する保持孔２１を備える。該弾丸固定部３の上昇時に該弾丸固定部３に固定した弾丸１１の先端部が該保持孔２１より上方に突出するものとする（図９参照）。  
【００１８】
該保持体５の平面視の形状は、特に限定はなく、一例として略円形、略楕円形、矩形などとする。該保持体５は側面視の形状は、特に限定はなく、一例として略Ｔ字型とする。
【００１９】
保持孔２１は、使用する弾頭挟持手段２７における弾頭挟持部３５を係止することができるものとし、一例として、保持孔２１の上端２１ａの径を弾頭挟持部３５の外周の径より小さくする、保持孔２１に弾頭挟持部３５が係止できるなどする。該保持体５における保持孔２１の形状に限定はなく、例えば略円筒状などとし、好ましくは、下方に向かって小径になるテーパ状とする。（図８〜図１０参照）。
【００２０】
該保持体５は天板部７ｂの透孔ｘに固着するなどして取り付けてもよいが、好ましくは着脱自在とする。該保持体５を着脱自在に取り付ける手段は、特に限定はなく、一例として、保持体５は板状部５ａの下方に突設部５ｂを備える側面視略Ｔ字型とし、突設部５ｂを天板部７ｂの透孔ｘに挿入し、板状部５ａを天板部７ｂに係止させるなどする。好ましくは、該突設部５ｂに雄ねじを刻設し、天板部７ｂの透孔ｘには雌ねじを刻設し、該突設部５ｂを該透孔ｘに螺合させることにより、該保持体５を該透孔ｘに着脱自在にする。該突設部５ｂ及び板状部５ａはそれぞれ透孔を有し、各透孔が連通することにより透孔２１を形成するものとする。（図８〜図１０、図１５参照）。
【００２１】
該保持体５を着脱自在にすることにより、透孔２１の径や厚み３７（図９参照）が様々な保持体５を複数用意しておき、弾丸１１の長さや太さ又は弾頭挟持部３５の大きさ等に応じて適切な保持体５を選択することができる。例えば、太い弾丸の弾頭を外す場合は、保持孔２１に太い弾丸を挿通させるために保持孔２１の径を大きい保持体５を用いる。また、短い弾丸の弾頭を外す場合は、板状部５ａの厚み３７が薄い保持体５を用いるなどする。手持ちの弾頭挟持手段２７における弾頭挟持部３５が大きい場合は、保持孔２１の上端の径が大きいものを用い、該弾頭挟持部３５を係止できるようにするなどする。
【００２２】
該弾丸固定部３を昇降させる昇降手段９は、特に限定はない。一例として、図４、図５に示すとおり、胴体部７の底部７ａに下方に伸びる２本の枢支部３９を取り付ける。レバー２９には水平部４３を備えさせ、該水平部４３を各枢支部３９の下端に掲載された透孔ｙに回動自在に挿通する。一例として、該レバー２９の上方端には把持部３１を設ける。該水平部４３には、作用部４５を該水平部４３から直角方向に延設し、略中央部に透孔ｚを設ける。
【００２３】
弾丸固定部３の下端には上下方向の昇降軸４１を取り付ける。該昇降軸４１は作用部４５の透孔ｚに挿通する。該昇降軸４１には該作用部４５の下方にストッパー４７ａを、該作用部４５の上方にストッパー４７ｂを取り付ける。
【００２４】
該レバー２９が上方にある場合、弾丸固定部３は下がっている（図４，５参照）。該レバー２９を下方向Ａに下げることにより、水平部４３がレバー２９と同一方向に回動し、作用部４５が上方に移動する。上方に移動した作用部４５が昇降軸４１に取り付けられたストッパー４７ｂを上方に押し上げることにより、昇降軸４１は上方に移動して弾丸固定部３を上方に移動させる。次に、該レバー２９を上方向Ｂに上げることにより、水平部４３がレバー２９と同一方向に回動し、作用部４５が下方に移動する。下方に移動した作用部４５が昇降軸４１に取り付けられたストッパー４７ａを下方に押し下げるため、昇降軸４１は下方に移動して弾丸固定部３は下方に移動する。（図４〜図７、図８〜図１０参照）。
【００２５】
本発明の弾丸外し装置１の使用方法の例について、図を参照しながら説明する。まず、本発明の弾丸外し装置１は、固定手段２３を用いて胴体部７を土台２５に固定する。固定手段２３は、特に限定はなく一般に用いられる固定手段を用いることができ、例えばボルトとナットを用いるなどする（図１参照）。
【００２６】
次に、弾丸固定部３に弾丸１１を固定する。前述したとおり、例えば、薬きょう１５のくびれが薬効固定手段１９の係止部に３３に係止するように、弾丸１１を薬きょう固定手段にスライドして挿入する（図８参照）。
【００２７】
次に、把持部３１を把持してレバー２９を下方向Ａに動かし、弾丸固定部３を上方に移動させ、弾丸１１の先端、すなわち弾頭１３の先端を保持孔２１の上方に突出させる。次に、突出した弾頭１３を弾頭挟持手段２７を用いて挟持する。該弾頭挟持手段２７は、弾頭１３の先端付近を挟持できるものであれば特に限定はなく、例えば、ペンチ、プライヤなど既に所持している道具などを用いることができる（図９参照）。
【００２８】
次いで、該弾頭挟持手段２７にて弾頭１３を挟持したまま、レバー２９を上方向Ｂに上げる。レバーを上げることにより、弾丸固定部３が下がり、弾丸固定部３に固定した薬きょう１５も下がる。一方、弾頭挟持部３５は保持体５の透孔２１に係止され、弾頭挟持手段２７により挟持された弾頭１３は下がることができず、その結果、薬きょう１５から弾頭１３が外れる（図１０参照）。
【００２９】
（効果）
本発明の弾丸外し装置１は、銅製の弾丸であっても鉛製の弾丸であっても１回の操作で弾頭が外れるものであって、薬きょうに損傷を与えないため、真鍮製の薬きょうを再利用することが可能となる。
【符号の説明】
【００３０】
１  弾頭外し装置
３  弾丸固定部
３ａ  下端
５  保持体
５ａ  板状部
５ｂ  突設部
７  胴体部
７ａ  底部
７ｂ  天板部
７ｃ  支柱部
９  昇降手段
１１  弾丸
１３  弾頭
１５  薬きょう
１７  空間部
１９  薬きょう固定手段
２１  保持孔
２１ａ  上端
２３  固定手段
２５  土台
２７  弾頭挟持手段
２９  レバー
３１  把持部
３３  係止部
３５  弾頭挟持部
３７  厚み
３９  枢支部
４１  昇降軸
４３  水平部
４５  作用部
４７ａ  ストッパー
４７ｂ  ストッパー
４９  下端
５１  ハンマー型の弾頭外し器具
５３  ハンマー部分
５５  受け台
５７  蓋部
ｗ  透孔
ｘ  透孔
ｙ  透孔
ｚ  透孔
Ａ  下方向
Ｂ  上方向
【図１】
2020118381.tif 000003
【図２】
2020118381.tif 000004
【図３】
2020118381.tif 000005
【図４】
2020118381.tif 000006
【図５】
2020118381.tif 000007
【図６】
2020118381.tif 000008
【図７】
2020118381.tif 000009
【図８】
2020118381.tif 000010
【図９】
2020118381.tif 000011
【図１０】
2020118381.tif 000012
【図１１】
2020118381.tif 000013
【図１２】
2020118381.tif 000014
【図１３】
2020118381.tif 000015
【図１４】
2020118381.tif 000016
【図１５】
2020118381.tif 000017
【手続補正書】
【提出日】令和1年10月19日(2019.10.19)
【手続補正１】
【補正対象書類名】特許請求の範囲
【補正対象項目名】請求項１
【補正方法】変更
【補正の内容】
【請求項１】
胴体部と、弾丸を固定する弾丸固定部と、弾頭を挟持する弾頭挟持手段と、該弾頭挟持手段の保持体と、該弾丸固定部の昇降手段と、を備える弾頭外し装置であって、
該胴体部は底部と、天板部と、該底部と該天板部とを連結する支柱部と、からなり、
該底部と該天板部との間には空間部を備え、
該胴体部の該底部は該弾頭外し装置を土台に固定する固定手段と、上下方向に連通する透孔を備え、
該胴体部の該天板部は上下方向に連通する透孔を備え、
該弾丸固定部は、該胴体部の底部の透孔に昇降自在に挿通され、
該昇降手段により該弾丸固定部が該胴体部の空間部を昇降し、
該保持体は、上下方向に該空間部に連通する保持孔を備え、
該弾丸固定部の上昇時に該弾丸固定部に固定した弾丸の先端部が該保持孔より上方に突出し、
該弾丸における弾頭の外周縁と該保持体の内周縁との間には、該弾頭挟持手段により該弾頭の挟持することが可能な空間を有し、
該弾頭挟持手段は、該保持体の上方より該弾頭を挟持し、
該弾頭挟持手段は、該弾頭を挟持する際に、該弾頭挟持手段の外側面の少なくとも一部が該保持体の内周縁に当接する
ことを特徴とする弾頭外し装置。
【手続補正２】
【補正対象書類名】明細書
【補正対象項目名】００２８
【補正方法】変更
【補正の内容】
【００２８】
次いで、該弾頭挟持手段２７にて弾頭１３を挟持したまま、レバー２９を上方向Ｂに上げる。レバーを上げることにより、弾丸固定部３が下がり、弾丸固定部３に固定した薬きょう１５も下がる。一方、弾頭挟持部３５は保持体５の保持孔２１に係止され、弾頭挟持手段２７により挟持された弾頭１３は下がることができず、その結果、薬きょう１５から弾頭１３が外れる（図１０参照）。